(57)【要約】【課題】参加者のアクセス回数２４ｄ又はアクセスの内容２３ｄを表示するようにして、会議室２２ｂの評議情況を容易に把握できるようにすると共に、参加者２４ｃの中から指名して情報送信を求める場合に、適格者を指名することができる電子会議システムを提供することを目的とする。【解決手段】議題を評議する会議室２２ｂが掲示されたファイルサーバ１に、参加者２４ｃが会議室名２２ｂを指定してアクセスすると指定会議室２２ｂの評議情報に加えて、それ迄に指定会議室２２ｂにアクセスした参加者２４ｃに関する個人情報２１ｇ，２１ｈをアクセス回数２４ｄに応じて情報端末３に表示するようにしたものである。【選択図】        図１
2004235754.tif 000002
【特許請求の範囲】
【請求項１】
議題を評議する会議室が掲示されたファイルサーバに、予め定められた参加者が情報端末から上記会議室を指定してアクセスして評議情報を送受することにより上記議題を評議する電子会議システムにおいて、上記ファイルサーバにアクセスした回数が上記参加者毎及び上記会議室毎に計数されて記録されたアクセス回数ファイルと、上記参加者が上記会議室を指定して上記ファイルサーバにアクセスすると上記指定会議室の上記評議情報に加えて、上記指定会議室にアクセスした上記参加者に関する個人情報を上記アクセス回数に応じて上記情報端末に表示する参加者表示手段とを備えた電子会議システム。
【請求項２】
参加者表示手段は、指定会議室へのアクセス回数が所定値以上の多アクセス参加者については個人情報を直接表示し、上記アクセス回数が上記所定値未満の少アクセス参加者につては、上記アクセス回数を区分した回数区分を指定することにより、その回数区分に属する上記参加者の個人情報を表示するものとした請求項１に記載の電子会議システム。
【請求項３】
個人情報を、参加者の顔映像を含むものとした請求項１又は２に記載の電子会議システム。
【請求項４】
顔映像は、アクセス回数に応じて変化させて表示されるものとした請求項３に記載の電子会議システム。
【請求項５】
顔映像を、該当する参加者を宛先とする電子メールのメッセージ作成画面を開くアイコンとした請求項３に記載の電子会議システム。
【請求項６】
個人情報を、参加者の経歴を含むものとした請求項１又は２に記載の電子会議システム。
【請求項７】
個人情報を、指定会議室に対する評議情報の送信の有無情報を含むものとした請求項１又は２に記載の電子会議システム。
【発明の詳細な説明】
【０００１】
【発明の属する技術分野】
この発明は、ファイルサーバに掲示された会議室に情報端末からからアクセスして、議題を評議する電子会議システムの改良に係るものである。
【０００２】
【従来の技術】
図１３及び図１４は、従来の電子会議システムを示す。図１３において、参加者の個人情報が記録された個人情報ファイルや、掲示された会議室名が記録された会議室掲示ファイルがデータベース２に格納されている。また、データベース２には各会議室毎に評議対象の議題である新規情報及びこの新規情報に関連する関連情報も格納されている。
参加者は、電子会議システムに参加する場合、情報端末３から名前とパスワードを入力してアクセス可否の判定を受ける。アクセスが認められると、データベース２に格納されている会議室名の一覧が、サーバ１によって情報端末３へ送信される。参加者は参加しようとする会議室名を指定すると、図１４に示したとおり、その時点までにデータベース２に格納された指定会議室に関する新規情報及び関連情報が情報端末３上に表示される。
【０００３】
即ち、図１４において、会議室名である「高速エレベータ」と、評議対象の議題である新規情報の件数「４」と、新規情報及び関連情報が表示された評議情報表示部３２が表示される。
評議情報表示部３２には、新規情報のタイトルと、この新規情報に関連する関連情報のタイトルが表示される。また、新規情報及び関連情報を送信した参加者名と送信した日付が、それぞれ表示される。評議情報表示部３２は、スクロールバー３２ｓを操作することにより、上下に移動表示させることもできる。更に、タイトルで代表される情報内容を見たいときは、該当するタイトルにマウスポインタを合せてクリックすることにより、情報端末３に情報内容を表示させることができる。
【０００４】
また、ツールバー３２ｔの「新規情報」ボタンにマウスポインタを合せてクリックすることにより、新規情報の作成画面に移行し、作成した新規情報をデータベース２へ送信することができる。
更に、タイトルにマウスポインタを移してクリックした後、「関連情報」ボタンにマウスポインタを合せてクリックすることにより、関連情報の作成画面に移行し、作成した関連情報をデータベース２へ送信することができる。
上記のとおり、電子会議システムは、掲示された会議室毎に、これまでに送信・受信された情報のタイトル及びタイトルが付された情報内容を閲覧することができる。また、新たに情報を入力して、参加者の意見を送信することも可能である。
【０００５】
【発明が解決しようとする課題】
従来の電子会議システムは、上記のとおり構成されていたので、評議情報を閲覧し、新たに作成して送信することは容易であった。
しかし、どのような経歴の参加者がアクセスしたか、また、参加者毎のアクセス回数を調べるには、評議情報表示部３２に表示された参加者欄による以外になかった。
また、アクセスが単に評議情報の閲覧のみの場合は、どのような参加者によるものか不明であった。
このため、会議室へアクセスした参加者の中から指名して情報送信を求める場合に、評議情報表示部３２を閲覧しなければならず容易ではない、という問題があった。
更に、評議情報表示部３２を単に閲覧したに過ぎない参加者は把握できないため、情報送信を求める指名対象から除外されてしまい、多くの参加者から情報の送信を求めることができない、という問題もあった。
【０００６】
この発明は、上記問題点を解決するためになされたものであり、会議室への参加者のアクセス回数又はアクセスの内容を表示するようにして、会議室の評議情況を容易に把握できるようにすると共に、参加者の中から指名して情報送信を求める場合に、適格者を指名することができる電子会議システムを提供することを目的とする。
【０００７】
【課題を解決するための手段】
この発明に係る電子会議システムは、議題を評議する会議室が掲示されたファイルサーバに、参加者が会議室名を指定してアクセスすると指定会議室の評議情報に加えて、それ迄に指定会議室にアクセスした参加者に関する個人情報をアクセス回数に応じて情報端末に表示するようにしたものである。
【０００８】
また、参加者に関する個人情報の表示は、指定会議室へのアクセス回数が所定値以上の多アクセス参加者については個人情報を直接表示するようにし、アクセス回数が所定値未満の少アクセス参加者につては、アクセス回数を区分した回数区分を表示し、この回数区分を指定することにより、その回数区分に属する参加者の個人情報を表示するようにしたものである。
【０００９】
【発明の実施の形態】
実施の形態１．
図１から図１２は、この発明の実施の形態１を示す。
図１は、この発明の実施の形態１における電子会議システムの構成図で、１はサーバ、２はサーバ１によって管理されるデータベースで、図２に示す個人情報ファイル２１と、図３に示す会議室掲示ファイル２２と、図４に示す時系列アクセスファイル２３と、図５に示すアクセス回数ファイル２４と、図６に示す新規情報タイトルファイル２５と、図７に示す新規情報内容ファイル２６と、図８に示す関連情報タイトルファイル２７と、図９に示す関連情報内容ファイル２８とからなる。３はサーバ１によって集中管理される情報端末で、パソコンからなり、トップ画面の会議室アイコン３ａをマウスポインタで指示してダブルクリックすることにより、電子会議システムへの参加資格の認証を受ける初期画面へ切り替る。４はネットワーク、５はサーバ１及び情報端末３をネットワーク４に接続する通信制御手段である。
【００１０】
図２は、個人情報ファイル２１に記録された参加資格者の個人情報を示し、氏名２１ａと、メールアドレス２１ｂと、パスワード２１ｃと、参加資格者が所属する支社名２１ｄ及び事業所名２１ｅと、担当職務２１ｆと、経歴２１ｇと、顔映像２１ｈとからなる。図は、特許太郎、実用一郎、特許三郎及び実用四郎の各参加資格者の個人情報を示す。
【００１１】
図３は、会議室掲示ファイル２２に記録された会議室名を示し、電子会議システムに掲示された会議室のコード２２ａと会議室名２２ｂを示す。図では、昇降機一般Ｋ１〜空調システムＫ６迄を示す。
【００１２】
図４は、参加者がサーバ１にアクセスした情況を時系列で記録した時系列アクセスファイル２３を示し、アクセスした会議室名２３ａと、日付２３ｂと、参加者の氏名２３ｃと、アクセス内容２３ｄとからなる。
ここで、アクセス内容２３ｄは、そのアクセスが新たな評議対象である新規情報を送信する内容２３ｄ１と、新規情報に関連する関連情報を送信する内容２３ｄ２と、それ迄にデータベース２に記録された評議情報を単に閲覧するに過ぎない内容２３ｄ３とに分類される。
【００１３】
即ち、アクセス内容２３ｄが新規情報２３ｄ１の場合の記載は、新規情報を示す「Ａ」と、その新規情報が関連する会議室コードと、括弧を付して示す連続番号とからなるコードによる。従って、「Ａｋ２（４）」は、高速エレベータに係る会議室Ｋ２の第４番目の新規情報であることを意味する。
【００１４】
また、アクセス内容２３ｄが関連情報２３ｄ２の場合の記載は、関連情報を示す「Ｂ」と、その関連情報が関連する会議室コードと、括弧を付して示す連続番号とからなるコードによる。従って、「Ｂｋ２（２，１）」は、高速エレベータに係る会議室Ｋ２の第２番目の新規情報Ａｋ２（２）に関連する関連情報の内の第１番目のものであることを意味し、Ｂｋ２（２，１，１）」は、関連情報Ｂｋ２（２，１）に関連する関連情報の第１番目のものであることを意味する。
【００１５】
更に、アクセス内容２３ｄが閲覧２３ｄ３の場合の記載は、閲覧を示す「Ｃ」と、その閲覧が関連する会議室コードとからなるコードによる。従って、「Ｃｋ２」は高速エレベータに係る会議室Ｋ２の閲覧であることを意味する。
【００１６】
図５は、サーバ１にアクセスした回数が参加者毎及び会議室毎に計数されてアクセス回数が多い順に記録されたアクセス回数ファイル２４を示し、会議室名２４ａと、アクセス回数の多い順に付した順位２４ｂと、参加者の氏名２４ｃと、アクセス回数２４ｄと、新規情報又は関連情報の送信の有無２４ｅとからなる。
【００１７】
図６は、新規情報に付されたタイトルが記録された新規情報タイトルファイル２５を示し、コード２５ａとタイトル２５ｂからなる。
ここで、コード２５ａは、タイトルを意味する「ｔ」と図４の新規情報２３ｄ１のコードとからなる。従って、高速エレベータの会議室Ｋ２の新規情報に係るコード２５ａは、「ｔＡｋ２（番号）」となる。タイトル２５ｂは、図示のとおり読解可能な文字情報からなる。
【００１８】
図７は、新規情報の内容が記録された新規情報内容ファイル２６を示し、コード２６ａと情報内容２６ｂからなる。
ここで、コード２６ａは、内容を意味する「ｄ」と図４の新規情報２３ｄ１のコードとからなる。従って、高速エレベータの会議室Ｋ２の新規情報に係るコード２６ａは、「ｄＡｋ２（番号）」となる。情報内容２６ｂは、図示のとおり読解可能な文字情報からなる。
【００１９】
図８は、関連情報に付されたタイトルが記録された関連情報タイトルファイル２７を示し、コード２７ａとタイトル２７ｂからなる。
ここで、コード２７ａは、タイトルを意味する「ｔ」と図４の関連情報２３ｄ２のコードとからなる。従って、高速エレベータの会議室Ｋ２の関連情報に係るコード２７ａは、「ｔＢｋ２（番号）」となる。タイトル２７ｂは、図示のとおり読解可能な文字情報からなる。
【００２０】
図９は、関連情報の内容が記録された関連情報内容ファイル２８を示し、コード２８ａと情報内容２８ｂからなる。
ここで、コード２８ａは、内容を意味する「ｄ」と図４の関連情報２３ｄ２のコードとからなる。従って、高速エレベータＫ２の会議室の関連情報に係るコード２８ａは、「ｄＢｋ２（番号）」となる。情報内容２８ｂは、図示のとおり読解可能な文字情報からなる。
【００２１】
図１０は、電子会議システムの初期画面３０を示し、参加者名２１ａとパスワード２１ｃを入力する認証情報入力ボックスと、入力された参加者名２１ａとパスワード２１ｃが、個人情報ファイル２１に予め登録されたものである場合は、会議室掲示ファイル２２に記録された会議室名２２ｂの一覧が表示される。
参加を希望する会議室名２２ｂにマウスポインタを移動させてクリックすると、指定された会議室２２ｂの内容が、図１１に示したとおり表示される。
【００２２】
図１１は、評議段階における情報端末３の表示画面である。図において、参加者表示部３１は、指定した会議室２２ｂにアクセスした参加者のアクセス回数２４ｄに応じて参加者を表示する参加者表示手段として機能する。
即ち、参加者表示部３１は、個人情報ファイル２１から読み取って、指定会議室２２ｂへのアクセス回数２４ｄが所定値以上の多アクセス参加者の個人情報を表示する多アクセス参加者表示部３１ａと、アクセス回数が所定値未満の少アクセス参加者を、アクセス回数に従って更に区分けして個人情報を表示する少アクセス参加者表示部３１ｂ及び３１ｃとからなる。
【００２３】
ここで、多アクセス参加者表示部３１ａには、個人情報ファイル２１からアクセス回数２４ｄの多い順に３人分の参加者２４ｃ１〜２４ｃ３の顔映像を取り出して濃い映像から順に薄い映像に変化させて表示する。また、情報を送信した参加者２４ｃ１、２４ｃ３をアクセス回数ファイル２４から読み取って情報送信アイコン２４ｅ１、２４ｅ３を表示する。更に、アクセス回数ファイル２４から各参加者２４ｃ１〜２４ｃ３のアクセス回数２４ｄ１〜２４ｄ３を読み出して表示する。スクロールバー３１ｓによって多アクセス参加者全員を表示させることができる。
【００２４】
一方、少アクセス参加者表示部３１ｂは、アクセス回数ファイル２４に記録された最後の多アクセス参加者の順位ｘの次のアクセス回数順位（ｘ＋１）から最後の順位ＹＹを２分割した上位のアクセス回数区分３１ｋ４に属する参加者群を示す。
また、少アクセス参加者表示部３１ｃは、アクセス回数区分３１ｋ４の次の順位から最後の順位ＹＹ迄のアクセス回数区分３１ｋ５に属する参加者群を示す。少アクセス参加者の個人情報を表示させるには、少アクセス参加者表示部３１ｂ又は３１ｃにマウスポインタを移動させてクリックして指定することにより、各回数区分に属する参加者の顔映像を個人情報ファイル２１から取り出して多アクセス参加者表示部３１ａに多アクセス参加者と同様の態様で表示させることができる。
【００２５】
評議情報表示部３２は、従来例と同様であって、新規情報のタイトル２５ｂと、このタイトル２５ｂに関連する関連情報のタイトル２７ｂが表示される。
また、新規情報及び関連情報を送信した参加者の氏名２３ｃと送信した日付２３ｂも、それぞれ表示される。
評議情報表示部３２は、スクロールバー３２ｓを操作することにより、画面を上下に移動表示させてタイトル２５ｂ、２７ｂの全てを表示させることもできる。更に、タイトル２５ｂ、２７ｂに対応する情報内容２６ｂ、２８ｂを情報端末３に表示させるには、該当するタイトル２５ｂ、２７ｂにマウスポインタを移動させてクリックすることにより行う。
【００２６】
また、ツールバー３２ｔの「新規情報」ボタンにマウスポインタを移動させてクリックすることにより、新規情報の作成画面に移行し、作成した新規情報をデータベース２へ送信することもできる。
更に、タイトル２５ｂ、２７ｂにマウスポインタを移動させてクリックした後、「関連情報」ボタンにマウスポインタを合せてクリックすることにより、関連情報の作成画面に移行し、作成した関連情報をデータベース２へ送信することもできる。
【００２７】
図１２は、電子会議システムの動作を示す流れ図である。
まず、情報端末３のトップ画面の「会議室」アイコン３ａをダブルクリックして電子会議システムを立ち上げる。情報端末３の画面には、図１０に示す参加者名２１ａとパスワード２１ｃを入力する認証情報入力ボックスが表示される。手順Ｓ１２で、認証情報である参加者名２１ａとパスワード２１ｃを入力すると、手順Ｓ１３で、入力された参加者名２１ａとパスワード２１ｃが、個人情報ファイル２１に予め登録されたものかチェックされる。登録されてない場合は、認証不可として、手順Ｓ１１へ戻る。登録された参加者名２１ａとパスワード２１ｃである場合は手順Ｓ１４へ移り、図１０に示したとおり会議室掲示ファイル２２に記録された会議室名２２ｂが表示される。手順Ｓ１５で、参加を希望する会議室２２ｂにマウスポインタを移動させてクリックすると、手順Ｓ１６へ移る。ここで、指定された会議室２２ｂの内容が、図１１に示したとおり、参加者の個人情報と評議情報に分けて表示される。
【００２８】
手順Ｓ１７で、マウスポインタを画面上で移動させる。
１．マウスポインタを多アクセス参加者表示部３１ａに表示された参加者の画面上に移動させると、手順Ｓ１８へ移り、指定された参加者の個人情報ファイル２１に記録された経歴２１ｇが画面上に表示される。手順Ｓ１９で、参加者を指定した状態でマウスをクリックすると、手順Ｓ２０へ移り、電子メールのメッセージ作成画面に変る。メッセージを作成して指定した参加者へ電子メールを送信することができる。手順Ｓ２１で、ツールバー３２ｔの終了釦をクリックすると、手順Ｓ２２へ移り、時系列アクセスファイル２３に会議システムの利用状況を記録すると共に、アクセス回数ファイル２４を更新して処理を終了する。
手順Ｓ２１の段階でツールバー３２ｔの戻り釦が操作された場合は、手順Ｓ２４へ移り前画面へ戻って処理が再開される。
【００２９】
２．マウスポインタを少アクセス参加者表示部３１ｂ又は３１ｃの画面上に移動させてマウスをクリックすると手順Ｓ２５から手順Ｓ２６へ移り、区分内の少アクセス参加者が多アクセス参加者表示部３１ａに個別に表示される。マウスポインタを表示された参加者の画面上に移動させると手順Ｓ１８へ移り、以下上記１．項で述べたとおり処理される。
【００３０】
３．多アクセス参加者表示部３１ａに個別に表示された情報送信アイコン２４ｅ１、２４ｅ３をクリックすると、手順Ｓ２８から手順Ｓ２９へ移り、関連する情報のタイトル２５ｂと情報内容２６ｂが表示される。以下手順Ｓ２１の処理となる。
【００３１】
４．マウスポインタをツールバー３２ｔの新規情報釦又は関連情報釦へ移動させてクリックすると、手順Ｓ３０から手順Ｓ３１へ移り、評議情報を作成して手順Ｓ１５で指定された会議室２２ｂへ送信することができる。送信された評議情報は、手順Ｓ３２で各ファイル２５、２６又は２７、２８へ記録される。以下手順Ｓ２１へ移って処理される。
【００３２】
５．評議情報表示部３２に表示されたタイトル２５ｂ又は２７ｂをクリックすると手順Ｓ３３から手順Ｓ３４へ移り、対応する情報内容２６ｂ又は２８ｂが表示される。以下手順Ｓ２１に移って処理される。
【００３３】
６．手順Ｓ１７の処理として、マウスポインタを直接ツールバー３２ｔの終了釦へ移動させた場合は、手順Ｓ２１以下によって処理される。
なお、手順Ｓ３０〜Ｓ３２の処理は、時系列アクセスファイル２３に新規情報を送信する内容２３ｄ１又は関連情報を送信する内容２３ｄ２として記録される。他の処理は、いずれも評議情報を閲覧する内容２３ｄ３として記録される。
【００３４】
上記実施の形態１によれば、個人情報ファイル２１に登録された参加者２１ａが会議室２２ｂを指定してサーバ１にアクセスすると指定会議室２２ｂの評議情報２５ｂ、２７ｂに加えて、指定会議室２２ｂにアクセスした参加者２４ｃに関する個人情報２１ｇ、２１ｈをアクセス回数２４ｄに応じて情報端末３に表示するようにしたので、会議室の評議情況を容易に把握できるようにすると共に、参加者２４ｃの中から指名して情報送信を求める場合に、適格者を容易に指名することができる。
【００３５】
また、指定会議室２２ｂへのアクセス回数２４ｄが所定値以上の多アクセス参加者２４ｃについては個人情報２１ｇ、２１ｈを直接表示し、アクセス回数２４ｄが所定値未満の少アクセス参加者２４ｃにつては、アクセス回数によって区分して表示した少アクセス参加者表示部３１ｂ又は３１ｃを指定することにより、その回数区分３１ｋ４、３１ｋ５に属する参加者２４ｃの個人情報２１ｇ、２１ｈを表示するようにしたので、参加者２４ｃ全員について個人情報２１ｇ、２１ｈを表示させることができる。
【００３６】
更に、個人情報は、参加者２４ｃの経歴２１ｇに加えて顔映像２１ｈも表示するようにしたので、経歴２１ｇにより適格者を判別することが容易になると共に、顔映像２１ｈにより臨場感のある電子会議システムとすることができる。
更にまた、顔映像２１ｈは、アクセス回数２４ｄによって変化させたので、会議室２２ｂへの関心の程度を視覚によって容易に把握することができる。
【００３７】
更にまた、手順Ｓ１９及び手順Ｓ２０の処理で述べたとおり、参加者２４ｃを指定、即ち、顔映像２１ｈをマウスポインタで指定してクリックすることにより、電子メールのメッセージ作成画面に変る。メッセージを作成して指定した参加者２４ｃへ電子メールを送信することができる。このため、評議情報の送信督促も容易になり、適格者指名の容易化と相俟って会議室２２ｂを活性化させることができる。
【００３８】
更にまた、情報を送信した参加者２４ｃ１、２４ｃ３をアクセス回数ファイル２４から読み取って参加者表示部３１に情報送信アイコン２４ｅ１、２４ｅ３と共に表示したので、評議情報の更なる送信を督促する場合に、参加者２４ｃの選定が容易になる。
【００３９】
【発明の効果】
この発明は以上説明したように、予め定められた参加者が情報端末から会議室を指定してファイルサーバにアクセスすると、指定会議室の評議情報に加えて、指定会議室にアクセスした参加者に関する個人情報をアクセス回数に応じて情報端末に表示するようにしたので、会議室の評議情況を容易に把握できると共に、参加者の中から指名して情報送信を求める場合に、適格者を容易に指名することができ、会議室の活性化を図ることができる、という効果を奏する。
【図面の簡単な説明】
【図１】この発明の実施の形態１における電子会議システムの構成図。
【図２】この発明の実施の形態１における電子会議システムの個人情報ファイルの概念図。
【図３】この発明の実施の形態１における電子会議システムの会議室掲示ファイルの概念図。
【図４】この発明の実施の形態１における電子会議システムの時系列アクセスファイルの概念図。
【図５】この発明の実施の形態１における電子会議システムのアクセス回数ファイルの概念図。
【図６】この発明の実施の形態１における電子会議システムの新規情報タイトルファイルの概念図。
【図７】この発明の実施の形態１における電子会議システムの新規情報内容ファイルの概念図。
【図８】この発明の実施の形態１における電子会議システムの関連情報タイトルファイルの概念図。
【図９】この発明の実施の形態１における電子会議システムの関連情報内容ファイルの概念図。
【図１０】この発明の実施の形態１における電子会議システムの情報端末の初期画面。
【図１１】この発明の実施の形態１における電子会議システムの評議段階における情報端末の画面。
【図１２】この発明の実施の形態１における電子会議システムの動作を示す流れ図。
【図１３】従来の電子会議システムの構成図。
【図１４】従来の電子会議システムの評議段階における情報端末の画面。
【符号の説明】
１  サーバ、  ２  データベース、  ３  情報端末、  ３ａ  会議室アイコン、  ４  ネットワーク、  ５  通信制御手段、  ２１  個人情報ファイル、  ２２  会議室掲示ファイル、  ２３  時系列アクセスファイル、  ２４  アクセス回数ファイル、  ２５  新規情報タイトルファイル、  ２６  新規情報内容ファイル、  ２７  関連情報タイトルファイル、  ２８  関連情報内容ファイル、  ３０  初期画面、  ３１  参加者表示部、  ３１ａ  多アクセス参加者表示部、３１ｂ  少アクセス参加者表示部、  ３１ｃ  少アクセス参加者表示部、  ３２  評議情報表示部。
【図１】
2004235754.tif 000003
【図２】
2004235754.tif 000004
【図３】
2004235754.tif 000005
【図４】
2004235754.tif 000006
【図５】
2004235754.tif 000007
【図６】
2004235754.tif 000008
【図７】
2004235754.tif 000009
【図８】
2004235754.tif 000010
【図９】
2004235754.tif 000011
【図１０】
2004235754.tif 000012
【図１１】
2004235754.tif 000013
【図１２】
2004235754.tif 000014
【図１３】
2004235754.tif 000015
【図１４】
2004235754.tif 000016